(57)【要約】【課題】破断したピンテールの落下を防止する仕組みを備えたボルト締付装置を提供する。【解決手段】先端部に破断用のピンテール１９を備えたトルシアボルト１６に対してナット１７を締め付けるボルト締付機１１において、ナット１７に係合するアウターソケット１２と、ピンテール１９に係合するインナーソケット１３とを少なくとも備え、破断して存置されたピンテール１９をインナーソケット１３から押し出すための押出しロッド２２と、該押出しロッド２２の基部に連設される押込みレバー２３とを有する。【選択図】図１
2011098398.tif 000002
【特許請求の範囲】
【請求項１】
先端部に破断用のピンテールを備えたトルシアボルトに対してナットを締め付けるボルト締付機において、
前記ナットに係合するアウターソケットと、前記ピンテールに係合するインナーソケットとを少なくとも備え、
破断して存置された前記ピンテールを前記インナーソケットから押し出すための押出しロッドと、該押出しロッドの基部に連設される押込みレバーとを有すること
を特徴とするボルト締付装置。
【請求項２】
前記押込みレバーを押し込んだ時に、前記押出しロッドの先端部が前記インナーソケットの先端部よりも内側に位置すること
を特徴とする請求項１に記載のボルト締付装置。
【請求項３】
前記インナーソケットの先端部には、破断したピンテールの落下を防止するためのリング部材が設けられていること
を特徴とする請求項１に記載のボルト締付装置。
【発明の詳細な説明】
【技術分野】
【０００１】
本発明は、一般にシャーレンチと称されるボルト締付装置に関するものであり、更に詳しくは、トルシアボルトにナットを締め付けた後の、破断したピンテールの落下を防止する仕組みを備えたボルト締付装置に関するものである。
【背景技術】
【０００２】
従来のボルト締付装置としては、図９に示すような構成のものが知られている。このボルト締付装置１は、トルシアボルト２のピンテール３をインナーソケット４の係合部５に係合すると共に、ナット６を係合したアウターソケット７を駆動装置により回動してトルシアボルト２に対してナット６を締め付けるように構成されている（特許文献１及び２参照）。
【０００３】
所定のトルクでナット６が締め付けられた時に、アウターソケット７によるナット６の締付け反力をインナーソケット４のピンテール３に受けさせることで、このピンテール３が破断して、インナーソケット４の係合部５に存置される。
【０００４】
その後、解除レバー８を操作して係止部材９と突出しロッド１０との係合を解除すると、バネ１０ａの付勢力によって突出しロッド１０が瞬間的に突出し、インナーソケット４に存置されたピンテール３が外部に飛び出すこととなる。
【先行技術文献】
【特許文献】
【０００５】
【特許文献１】特開平１１−５８２５５号公報
【特許文献２】実開平６−６６９６３号公報
【発明の概要】
【発明が解決しようとする課題】
【０００６】
この従来例のボルト締付装置１においては、外部に飛び出したピンテール８が作業員の手からこぼれて落下し、通行人等に怪我を負わせてしまう事故が危惧される。特に、作業現場が高層階である場合には、落下したピンテール８が風に流されて数百メートル離れた場所に着地した事例が報告されており、ピンテール８の落下は非常に危険である。
【０００７】
従って、従来例におけるボルト締付装置１においては、ピンテール８が確実に作業員の手の中に収まるようにして、落下を防止することに解決しなければならない課題を有している。
【課題を解決するための手段】
【０００８】
前記従来例の課題を解決するための本発明の要旨は、先端部に破断用のピンテールを備えたトルシアボルトに対してナットを締め付けるボルト締付機において、前記ナットに係合するアウターソケットと、前記ピンテールに係合するインナーソケットとを少なくとも備え、破断して存置された前記ピンテールを前記インナーソケットから押し出すための押出しロッドと、該押出しロッドの基部に連設される押込みレバーとを有することである。
【０００９】
また、前記押込みレバーを押し込んだ時に、前記押出しロッドの先端部が前記インナーソケットの先端部よりも内側に位置する構成としたものであり、そして、前記インナーソケットの先端部には、破断したピンテールの落下を防止するためのリング部材が設けられている構成としたものである。
【発明の効果】
【００１０】
本発明に係るボルト締付装置によれば、作業員が押込みレバーを押し込んで押出しロッドを前進させ、ピンテールをインナーソケットの先端部に押し出す。そして、作業員が手でピンテールを取り外すので、当該ピンテールが確実に作業員の手の中に収まることとなる。
従って、従来例のようにピンテールが外に飛び出さないことと相俟って、当該ピンテールの落下が確実に防止できるという優れた効果を奏する。
【００１１】
また、押込みレバーを押し込んだ時に、前記押出しロッドの先端部が前記インナーソケットの先端部よりも内側に位置することによって、押し出されたピンテールが常にインナーソケットの先端部の近傍に引っ掛かった状態で位置することとなる。そして、作業員が手でピンテールを取り外すので、当該ピンテールが確実に作業員の手の中に収まるという優れた効果を奏する。
【００１２】
そして、インナーソケットの先端部には、破断したピンテールの落下を防止するためのリング部材が設けられていることによって、押し出されたピンテールがリング部材に引っ掛かった状態に位置するので、上述の押出しロッドの先端部をインナーソケットの先端部よりも内側に位置させることと相俟って、当該ピンテールが確実に作業員の手の中に収まるという優れた効果を奏する。
【図面の簡単な説明】
【００１３】
【図１】本発明に係るボルト締付装置１１の正面図である。
【図２】（イ）アウターソケット１２とインナーソケット１３を分離した状態の斜視図である。（ロ）アウターソケット１２にインナーソケット１３をセットした状態の斜視図である。
【図３】インナーソケット１３の縦断面図である。
【図４】インナーソケット１３の側面図である。
【図５】押出しロッド２２及び押込みレバー２３の正面図である。
【図６】押出しロッド２２及び押込みレバー２３の平面図である。
【図７】押出しロッド２２及び押込みレバー２３の側面図である。
【図８】トルシアボルト１６の正面図である。
【図９】従来例に係るボルト締付装置１の要部を示す説明図である。
【発明を実施するための形態】
【００１４】
次に、本発明の実施の形態について図面を参照しながら説明する。まず、図１及び図２において、符号１１はボルト締付装置を示し、このボルト締付装置１１は、アウターソット１２の内側にインナーソケット１３を連設した締付部１４を備えており、この締付部１４をケーシング２１の取付部２１ａに連設している。ケーシング２１の下部には、ハンドル２６と原動機２７とが設けられている。
【００１５】
アウターソケット１２は、図２（イ）に示すように、略筒状を呈し、先端部１２ａと後端部とが貫通状態に形成されると共に、先端部１２ａに係合部１５が形成され、この係合部１５にトルシアボルト１６（図８参照）のナット１７が係合される。
【００１６】
インナーソケット１３は、図２（イ）に示すように、略筒状を呈し、先端部１３ａと後端部とが貫通状態に形成されると共に、先端部１３ａに係合部１８が形成され、この係合部にトルシアボルト１６（図８参照）のピンテール１９が係合される。
そして、図２（ロ）に示すように、アウターソケット１２の内側にインナーソケット１３を囲繞した状態にセットして締付部１４が構成される。
【００１７】
また、インナーソケット１３の先端部１３ａには、図２（イ）、図３及び図４に示すように、落下防止用のリング部材２０が設けられており、このリング部材２０は、インナーソケット１３の先端部１３ａにピンテール１９の外周部と当接すべく組み付けられている。リング部材２０の材質は、ウレタン等の合成樹脂材で成形される。
このリング部材２０の存在によって、押し出されたピンテールがインナーソケット１３の先端部１３ａの近傍、即ち、リング部材２０に引っ掛かった状態に位置して落下が防止されることとなる（図３参照）。
【００１８】
更に、アウターソケット１２及びインナーソケット１３の略中央部には、図１及び図３に示すように、押出しロッド２２が設けられており、この押出しロッド２２は、基部２２ｂ側がケーシング２１の外部に延設されている。
【００１９】
押出しロッド２２の基部２２ｂには、図１及び図５、図６に示すように、押込みレバー２３が垂下した状態で連設されており、この押込みレバー２３を押込み又は引出しすることで、押出しロッド２２を前進又は後退させることができる。
【００２０】
このように手動式の仕組みにすることによって、作業員が手で押込みレバー２３を押し込んで、押出しロッド２２を前進させ、係合部１８に存置したピンテール１９を押し出して、インナーソケット１３の先端部１３ａの近傍に位置させることとなる（図３参照）。
そして、作業員は手でピンテール１９を取り外すので、当該ピンテール１９が確実に作業員の手の中に収まる。従って、従来例のようにピンテールが外に飛び出さないことと相俟って、当該ピンテール１９の落下が確実に防止できる。
【００２１】
なお、図１及び図５、図６中の符号２４は、ケーシング２１の後部に設けられ且つ押込みレバー２３の両側に位置するガイド板を示す。
【００２２】
押出しロッド２２の先端部２２ａは、図３及び図５に示すように、押込みレバー２３を最大限に押し込んだ時に、インナーソケット１３の先端部１３ａよりも内側に位置するように長さ調整されている。
【００２３】
このように押込みレバー２３の長さ調整がなされることによって、押し出されたピンテール１９が常にインナーソケット１３の先端部１３ａの近傍に引っ掛かった状態に位置することとなる（図３参照）。即ち、前述の落下防止用のリング部材２０の存在と相俟って、図３の仮想線で示す如く、ピンテール１９がインナーソケット１３の先端部２２ａの近傍に位置するのである。そして、作業員が手でピンテール１９を取り外すので、当該ピンテール１９が確実に作業員の手の中に収まる。
【００２４】
このような構成のボルト締付装置１１は、アウターソケット１２及びインナーソケット１３を相反方向に回転させてナット１７を締め付けると共に、ピンテール１９に対してナット１７を相対回転させる遊星歯車機構（図示せず）を備えている。
【００２５】
ボルト締付装置１１の使用方法は、まず、アウターソケット１２とインナーソケット１３とからなる締付部１４を（図２（ロ）参照）、ケーシング２１の取付部２１ａに取り付ける。
【００２６】
次に、予め所定の場所に装着されているトルシアボルト１６に対して、ナット１７をアウターソケット１２に係合すると共に、ピンテール１９をインナーソケット１３に係合する。この時、ピンテール１９に押された押出しロッド２２が後退すると共に、押込みレバー２３も同様に後退する。
【００２７】
続いて、スイッチレバー２５を押し込めば、アウターソケット１２とインナーソケット１３とは、互いに相反方向に回転してナット１７を締め付けると共に、ピンテール１９に対してナット１７を相対回転させて図示しない破断溝が破断するまで行われ、これにより所定の締付力を確保している。
【００２８】
破断したピンテール１９は、インナーソケット１３の係合部１８に存置されており、この存置したピンテール１９を、前述したように、作業員が押込みレバー２３を押し込んで、押出しロッド２２を前進させてピンテール１９を押し出す。
【００２９】
ピンテール１９は、リング部材２０の存在と相俟って、インナーソケット１３の先端部１３ａの近傍に位置するので、作業員は手でピンテールを取り外す。つまり、当該ピンテール１９が確実に作業員の手の中に収まるのである。
【符号の説明】
【００３０】
１    ボルト締付装置
２    トルシアボルト
３    ピンテール
４    インナーソケット
５    係合部
６    ナット
７    アウターソケット
８    解除レバー
９    係止部材
１０  突出しロッド
１０ａバネ
１１  ボルト締付装置
１２  アウターソケット
１２ａ先端部
１３  インナーソケット
１３ａ先端部
１４  締付部
１５  係合部
１６  トルシアボルト
１７  ナット
１８  係合部
１９  ピンテール
２０  リング部材
２１  ケーシング
２１ａ取付部
２２  押出しロッド
２２ａ先端部
２２ｂ基部
２３  押込みレバー
２４  ガイド板
２５  スイッチレバー
２６  ハンドル
２７  原動機
【図１】
2011098398.tif 000003
【図２】
2011098398.tif 000004
【図３】
2011098398.tif 000005
【図４】
2011098398.tif 000006
【図５】
2011098398.tif 000007
【図６】
2011098398.tif 000008
【図７】
2011098398.tif 000009
【図８】
2011098398.tif 000010
【図９】
2011098398.tif 000011